(57)【要約】【課題】異音の発生を抑制する。【解決手段】照明器具の器具本体に取り付けられる取付部材２と、取付部材２に取り付けられる合成樹脂製のカバー３と、を備える。取付部材２は、底板２０と、一対の側板２１と、を有する。一対の側板２１は、底板２０より突出向きに延びる側板本体２１０と、側板本体２１０の先端部において外面２１２側に曲がる曲がり部２２を有する。カバー３は、カバー本体３０と、カバー側板３０４と、を有する。カバー本体３０は、底板２０の突出向きと反対の側において底板２０に対向して、固体光源が発する光を透過させる。カバー側板３０４は、カバー本体３０の短手方向における両側の部分からそれぞれ突出向きに突出して側板２１の外面２１２に対向する。カバー側板３０４における突出向きの端部は、曲がり部２２よりも突出向き側に位置せず曲がり部２２を突出向きに露出させる開放端部３３を構成する。【選択図】図４
2019175555.tif 000002
【特許請求の範囲】
【請求項１】
複数の固体光源と、
前記複数の固体光源を支持して照明器具の器具本体に取り付けられる金属製の取付部材と、
前記取付部材に取り付けられる合成樹脂製のカバーと、を備え、
前記取付部材は、
長手方向及び短手方向を有する底板と、
前記底板の前記短手方向における両側の部分からそれぞれ、前記長手方向及び前記短手方向に交差する突出向きに突出して互いに対向する一対の側板と、
を有し、
前記一対の側板は、前記底板より前記突出向きに延びる側板本体と、前記側板本体の先端部において前記側板本体の互いに対向する内面と反対の外面側に曲がる曲がり部を有し、
前記カバーは、
前記底板の前記突出向きと反対の側において前記底板に対向して、前記複数の固体光源が発する光を透過させるカバー本体と、
前記カバー本体の前記短手方向における両側の部分からそれぞれ前記突出向きに突出して前記側板の前記外面に対向するカバー側板と、
を有し、
前記カバー側板における前記突出向きの端部は、前記曲がり部よりも前記突出向き側に位置せず前記曲がり部を前記突出向きに露出させる開放端部を構成する
光源ユニット。
【請求項２】
前記カバーは、前記底板と対向する部分に、前記底板と線接触する突部を有する
請求項１に記載の光源ユニット。
【請求項３】
前記カバー本体の前記底板に対向する部分に、前記底板に向けて突出して前記底板に接触するひれ部を有する
請求項１又は２に記載の光源ユニット。
【請求項４】
前記取付部材の前記突出向きの端部は、前記カバー側板の前記開放端部よりも前記突出向き側に位置する
請求項１〜３のいずれか一項に記載の光源ユニット。
【請求項５】
請求項１〜４のいずれかに記載の光源ユニットと、前記光源ユニットを支持する器具本体とを備える
照明器具。
【発明の詳細な説明】
【技術分野】
【０００１】
本発明は、光源ユニット及び照明器具に関し、より詳細には発光ダイオードを光源とする光源ユニット、及び、その光源ユニットを有する照明器具に関する。
【背景技術】
【０００２】
従来例として、特許文献１記載の光源ユニット及び照明器具を例示する。特許文献１記載の光源ユニットは、複数の発光ダイオード（Light Emitting Diode、以下にＬＥＤと記載する）が実装されたＬＥＤ基板と、ＬＥＤ基板が取り付けられる取付部材と、拡散性を有しＬＥＤ基板を覆うようにして取付部材に取り付けられるカバー部材とを備える。
【０００３】
取付部材は、金属板によってＵ字状に形成されている。取付部材は、長尺の矩形板状に形成されてＬＥＤ基板が取り付けられる底面部と、底面部の長手方向に沿った両端から底面部の厚み方向にそれぞれ立ち上がる一対の側面部と、を有する。また、一対の側面部の先端には、外向きに傾斜した傾斜部が全長にわたって設けられている。
【０００４】
一方、カバー部材は、透光性を有する合成樹脂材料で長尺に形成されている。また、カバー部材は、長手方向に沿った両端から突出する一対の突壁部がそれぞれ全長にわたって設けられている。一対の突壁部の先端には、内向きに突出する突起部がそれぞれ設けられている。
【０００５】
カバー部材は、一対の突壁部の先端に設けられている突起部が、取付部材の一対の側面部の先端に設けられている傾斜部にそれぞれ引っ掛けられることによって、取付部材に取り付けられる。
【先行技術文献】
【特許文献】
【０００６】
【特許文献１】特開２０１４−７８５１１号公報
【発明の概要】
【発明が解決しようとする課題】
【０００７】
ところで、特許文献１記載の従来例では、金属製の取付部材と、合成樹脂製のカバー部材とで熱膨張係数が大きく異なる。このため、温度変化が生じた場合、カバー部材の取付部材と接触している部位（例えば突起部と傾斜部との接触部位）から異音が生じる可能性があった。
【０００８】
本発明は、上記課題に鑑みてなされており、異音の発生を抑制することを目的とする。
【課題を解決するための手段】
【０００９】
本開示に係る一形態の光源ユニットは、複数の固体光源と、前記複数の固体光源を支持して照明器具の器具本体に取り付けられる金属製の取付部材と、前記取付部材に取り付けられる合成樹脂製のカバーと、を備える。前記取付部材は、長手方向及び短手方向を有する底板と、前記底板の前記短手方向における両側の部分からそれぞれ、前記長手方向及び前記短手方向に交差する突出向きに突出して互いに対向する一対の側板と、を有する。前記一対の側板は、前記底板より前記突出向きに延びる側板本体と、前記側板本体の先端部において前記側板本体の互いに対向する内面と反対の外面側に曲がる曲がり部を有する。前記カバーは、カバー本体と、カバー側板と、を有する。前記カバー本体は、前記底板の前記突出向きと反対の側において前記底板に対向して、前記複数の固体光源が発する光を透過させる。前記カバー側板は、前記カバー本体の前記短手方向における両側の部分からそれぞれ前記突出向きに突出して前記側板の前記外面に対向する。前記カバー側板における前記突出向きの端部は、前記曲がり部よりも前記突出向き側に位置せず前記曲がり部を前記突出向きに露出させる開放端部を構成する。
【００１０】
本開示に係る一形態の照明器具は、前記光源ユニットと、前記光源ユニットを支持する器具本体とを備える。
【発明の効果】
【００１１】
本発明の光源ユニット及び照明器具は、異音の発生を抑制することができるという効果がある。
【図面の簡単な説明】
【００１２】
【図１】図１は、第１実施形態に係る照明器具及び光源ユニットの斜視図である。
【図２】図２は、同上の実施形態に係る照明器具及び光源ユニットの分解斜視図である。
【図３】図３は、同上の実施形態に係る光源ユニットを示し、エンド部材を省略した側面図である。
【図４】図４は、同上の実施形態に係る光源ユニットの一部省略した正面図である。
【図５】図５は、同上の実施形態に係る光源ユニットの一部省略した分解斜視図である。
【図６】図６は、同上の実施形態に係る光源ユニットにおける取付部材とカバー本体の要部の分解斜視図である。
【図７】図７は、第２実施形態に係る光源ユニットにおける取付部材とカバー本体の要部の正面図である。
【図８】図８は、第３実施形態に係る光源ユニットにおける取付部材とカバー本体の要部の正面図である。
【図９】図９は、参考例に係る光源ユニットにおける取付部材とカバー本体の要部の正面図である。
【発明を実施するための形態】
【００１３】
以下、第１実施形態に係る光源ユニットＷ１及び第１実施形態に係る照明器具Ｘ１について、図１〜図６を参照して詳細に説明する。なお、以下の第１実施形態で説明する構成は本開示の一例にすぎない。本開示は、以下の第１実施形態に限定されず、本開示に係る技術的思想を逸脱しない範囲であれば、設計等に応じて種々の変更が可能である。
【００１４】
第１実施形態に係る照明器具Ｘ１（以下、照明器具Ｘ１と略す）は、図１及び図２に示すように、第１実施形態に係る光源ユニットＷ１（以下、光源ユニットＷ１と略す）と、器具本体６とを備える。ただし、以下の説明では、特に断りのない限り、図１に示す向きにおいて前後、上下、左右の各方向を規定する。すなわち、照明器具Ｘ１の長手方向を左右方向とし、照明器具Ｘ１の高さ方向を上下方向とし、照明器具Ｘ１の幅方向（短手方向）を前後方向とする。
【００１５】
器具本体６は、図１及び図２に示すように、天板ユニット６０と反射板ユニット６１と枠体６２と、を有する。天板ユニット６０は、長尺の矩形平板状に形成された天板６００と、天板６００の前端及び後端から下向きに立ち下がる一対の側壁６０１と、を有する。なお、天板ユニット６０は、例えは、亜鉛鋼板などの金属板が曲げ加工されることによって、天板６００と一対の側壁６０１とが一体に形成されることが好ましい。天板６００には、電源線が引き込まれる丸孔６０２が左右方向におけるほぼ中央に設けられている。さらに、天板６００には、吊りボルトが挿通される長孔６０３が左右方向における両端寄りの位置にそれぞれ設けられている。また、天板６００の下面における丸孔６０２の近くに端子台６３が取り付けられている。端子台６３は、丸孔６０２から引き込まれる電源線と電気的に接続される。なお、端子台６３から接地線を含む３本の電線が引き出されることが好ましい。これら３本の電線の先端には、プラグコネクタが電気的に接続されることが好ましい。
【００１６】
反射板ユニット６１は、図２に示すように、一対の第１反射板６１０と、一対の第２反射板６１１と、を有する。一対の第１反射板６１０は、おおよそ、天板６００の左右方向の長さ寸法と同寸法である、長尺の矩形平板状に形成されている。一方の第１反射板６１０は、前側の側壁６０１の下端から下向き、かつ、前向きに傾斜するように設けられている。また、他方の第１反射板６１０は、後側の側壁６０１の下端から下向き、かつ、後向きに傾斜するように設けられている。一対の第２反射板６１１は、おおよそ、台形状に形成されている。一方の第２反射板６１１は、前端が前側の第１反射板６１０の左端に結合され、後端が後側の第１反射板６１０の左端に結合されている。他方の第２反射板６１１は、前端が前側の第１反射板６１０の右端に結合され、後端が後側の第１反射板６１０の右端に結合されている。つまり、反射板ユニット６１は、上面及び下面が開放された長尺の四角錐台形状に形成されている。
【００１７】
枠体６２は、長尺の矩形枠状に形成されている。枠体６２は、反射板ユニット６１の下端に結合されている（図１及び図２参照）。
【００１８】
上述のように構成される器具本体６は、天井板（天井仕上げ材）に設けられた矩形の埋込孔に天板ユニット６０及び反射板ユニット６１が挿入され、天井スラブから垂下されている吊りボルトに天板ユニット６０の天板６００が取り付けられる。なお、枠体６２は、天井材の下面（天井面）に下から当たり、天井材の埋込孔の縁と反射板ユニット６１との隙間を塞ぐように構成されている。
【００１９】
光源ユニットＷ１は、図２及び図３に示すように、複数（図示例では２つ）の固体光源としてのＬＥＤモジュール１、取付部材２、カバー３、配光パネル４、電源ユニット５などを備える。
【００２０】
ＬＥＤモジュール１は、図２に示すように、複数個の発光ダイオード（ＬＥＤ）１０と、基板１１と、を有する。基板１１は、左右方向を長手方向とする矩形の平板状に形成されている。ＬＥＤ１０は、例えば、白色光を放射する白色発光ダイオードであり、基板１１の下面における前後方向（短手方向）の中央に、左右方向（長手方向）に沿って等間隔かつ１列に並べて実装されている。また、一方のＬＥＤモジュール１の端部に、電源ユニット５との間を電気的に接続するためのコネクタが実装されている。また、２つのＬＥＤモジュール１において隣接するＬＥＤモジュール１と対向する端部には、電源供給用のコネクタがそれぞれ実装されている。そして、２つのＬＥＤモジュール１のコネクタ同士が電気的に接続されることで、一方のＬＥＤモジュール１から他方のＬＥＤモジュール１に点灯電力（電源ユニット５から供給される直流電力）が中継される。なお、固体光源としては、発光ダイオード１０を有するＬＥＤモジュール１以外に、例えば有機ＥＬ（Electro Luminescence）等であってもよく、限定されない。
【００２１】
取付部材２は、図３に示すように、底板２０と、一対の側板２１と、を有する。底板２０は、長手方向及び短手方向を有する、長尺の矩形平板状に形成されている。側板２１は、底板２０の短手方向における両側の部分からそれぞれ、長手方向及び短手方向に交差する突出向きに突出して、互いに対向する。具体的には、側板２１は、長尺の矩形平板状に形成されて、底板２０の長手方向である左右方向に沿った両端から、突出向きとして上向きに突出する。なお、取付部材２は、亜鉛鋼板などの金属板が曲げ加工されることにより、底板２０と一対の側板２１とが一体に形成されることが好ましい。
【００２２】
底板２０は、前後方向の中央部分が上向きに凹んでおり、その中央部分にＬＥＤモジュール１が配置されている。また、底板２０の中央部分における前後両端には、複数の固定片２３が左右方向に間隔を空けて切り起こされている（図３参照）。これら複数の固定片２３は、先端部分が内向きに曲げられることにより、ＬＥＤモジュール１の基板１１を支持するように構成されている。
【００２３】
また、図４に示すように、一対の側板２１は、底板２０より突出向きに延びる側板本体２１０と、曲がり部２２と、を有する。曲がり部２２は、側板本体２１０の先端部において、側板本体２１０の互いに対向する内面２１１と反対の外面２１２側に曲がる、おおよそ円筒形状をしたものである。
【００２４】
また、図３に示すように、取付部材２は、一対の引掛金具２４と、一対の引掛ばね２５とを備えることが好ましい。一対の引掛金具２４は、先端が鈎形に形成され、その先端部分が後側の側板２１の上を乗り越えるように、底板２０の左右両端の近傍にそれぞれ設けられている。これら一対の引掛金具２４は、器具本体６に設けられている引掛孔６４に引っ掛けられる（図２参照）。また、一対の引掛ばね２５は、ねじりコイルばねで構成され、底板２０の前端における左右両端の近傍にそれぞれ設けられている。これら一対の引掛ばね２５は、器具本体６に設けられているばね受け金具に一方の端が引っ掛けられる。つまり、取付部材２は、一対の引掛金具２４と一対の引掛ばね２５とによって、器具本体６に着脱可能に取り付けられる。
【００２５】
電源ユニット５は、電源基板と、電源基板を収容するケース５０と、を有する。電源基板は、左右方向に長い矩形板状に形成されたプリント配線板からなり、このプリント配線板には、少なくともＬＥＤモジュール１の点灯電力を生成するために必要な回路部品（例えば、トランスやダイオード、コンデンサなど）が実装されている。また、電源基板の左端にはレセプタクルコネクタ５１が実装されている。このレセプタクルコネクタ５１には、端子台６３から引き出されている３本の電線の先端に設けられているプラグコネクタが挿抜可能に接続される。ケース５０は、金属材料によって矩形箱状に形成されている。また、ケース５０は、例えば、ねじなどを用いて取付部材２の底板２０の上面に取り付けられることが好ましい。
【００２６】
カバー３は、図２に示すように、カバー本体３０と一対のエンド部材３１と、を有する。カバー本体３０は、図３に示すように、底板２０の突出向きと反対の側において底板２０に対向する。カバー本体３０は、固体光源が発する光を透過させる。カバー本体３０は、前板部３００、拡散部３０１、一対の連結部３０２、一対の突板部３０３、一対のカバー側板３０４などを有する。前板部３００は、左右方向を長手方向とする長尺の矩形板状に形成されている。拡散部３０１は、長手方向（左右方向）からみた形状が下に凸となる曲面である、長尺の半筒状に形成されている。一対の突板部３０３は、いずれも長尺の矩形板状に形成されている。一方の突板部３０３は、拡散部３０１の長手方向に沿った前端から前方へ突出している。他方の突板部３０３は、拡散部３０１の長手方向に沿った後端から後方へ突出している。一対の連結部３０２は、いずれも、長手方向（左右方向）からみた形状がおおよそＶ字状となる長尺の矩形板状に形成されている。一方の連結部３０２は、前板部３００の前端と前側の突板部３０３の前端とを連結するように形成されている。他方の連結部３０２は、前板部３００の後端と後側の突板部３０３の後端とを連結するように形成されている。ここで、前側の連結部３０２には、下部の後面から前板部３００の上面と平行に突出する幅細の突起３０６０が左右方向の全長にわたって設けられている。同じく、後側の連結部３０２には、下部の前面から前板部３００の上面と平行に突出する幅細の突起３０６０が左右方向の全長にわたって設けられている。なお、これら一対の突起３０６０と前板部３００との間に形成される長尺の空間（隙間）を保持溝３０６と呼ぶ。
【００２７】
カバー側板３０４は、図４に示すように、カバー本体３０の短手方向における両側の部分からそれぞれ、突出向きに突出して側板２１の外面２１２に対向する。一対のカバー側板３０４は、いずれも長尺の矩形板状に形成されている。一方のカバー側板３０４は、前側の突板部３０３の上面における前後方向のほぼ中央から上向きに起立するように形成されている。他方のカバー側板３０４は、後側の突板部３０３の上面における前後方向のほぼ中央から上向きに起立するように形成されている。また、一対のカバー側板３０４は、それぞれ一対のねじ挿通孔が設けられている。これら一対のねじ挿通孔は、長手方向を左右方向とする長孔からなり、カバー側板３０４における左右方向の中央に対してほぼ等距離となる位置に設けられている。
【００２８】
ところで、前板部３００、拡散部３０１、一対の連結部３０２、一対の突板部３０３、一対のカバー側板３０４及び一対の突起３０６０は、合成樹脂材料（例えば、ポリカーボネート樹脂）で一体に形成されている。ただし、前板部３００を除く拡散部３０１、一対の連結部３０２、一対の突板部３０３、一対のカバー側板３０４及び一対の突起３０６０は、例えば、アクリル樹脂やシリコーン樹脂の微粒子を原料とする拡散材が混入されている。一方、前板部３００は、拡散材が混入されていないために無色透明（透過率がほぼ１００％）である。さらに、拡散部３０１と一対の連結部３０２は、例えば、透過率が６０％〜９０％程度となる分量の拡散材が混入されている。これに対して、一対の突板部３０３及び一対のカバー側板３０４は、透過率がほぼ０％、つまり、不透過となる分量の拡散材が混入されている。なお、このようなカバー本体３０は、多色の押出成形によって形成されることが好ましい。
【００２９】
一対のエンド部材３１は、カバー本体３０の前板部３００、拡散部３０１、一対の連結部３０２、一対の突板部３０３を長手方向（左右方向）からみたときの外形とおおよそ同じ形状の板状に形成されている（図５及び図６参照）。そして、一対のエンド部材３１は、カバー本体３０の保持溝３０６に配光パネル４が保持されている状態でカバー本体３０の左端及び右端にそれぞれ装着される。なお、これら一対のエンド部材３１は、接着や超音波溶着などの適宜の方法でカバー本体３０と接合されることが好ましい。
【００３０】
配光パネル４は、例えば、アクリル樹脂等の透光性を有する合成樹脂材料によって、長尺の矩形板状に形成されている（図２参照）。また、配光パネル４は、片面（上面）が平坦に形成され、もう片面に多数のプリズム４０が形成されている。これらのプリズム４０は、図５及び図６に示すように、長手方向を前後方向とする長尺の三角柱状であって、配光パネル４の長手方向（左右方向）に沿って互いに平行かつ等間隔に並ぶように設けられている。配光パネル４は、図３に示すように、プリズム４０が設けられている面（以下、プリズム面と呼ぶ）を前板部３００に向けた状態で、前端部分及び後端部分がそれぞれカバー本体３０の一対の保持溝３０６に保持されている。ただし、配光パネル４は、図５及び図６に示すように、カバー本体３０の長手方向（左右方向）の一端側から保持溝３０６に挿入されることが好ましい。この配光パネル４は、拡散部３０１で拡散されたＬＥＤモジュール１の光（照明光）を集光することにより、長手方向（左右方向）からみたときの不快グレアの抑制を図ることができる。
【００３１】
次に、光源ユニットＷ１の組立手順を説明する。組立作業を行う作業者は、電源ユニット５を取付部材２の底板２０の上面側に取り付け、さらに、ＬＥＤモジュール１を取付部材２の底板２０の上面に固定する。続いて、作業者は、電源ユニット５の出力線を取付部材２の底板２０に設けられた孔に挿通し、出力線の先端に設けられているプラグコネクタを、ＬＥＤモジュール１の端部に設けられているコネクタ（レセプタクルコネクタ）に差込接続する。
【００３２】
また、作業者は、配光パネル４をカバー本体３０の一端側から保持溝３０６に挿入した後、カバー本体３０の両端にそれぞれエンド部材３１を装着し接合することでカバー３を組み立てる。そして、作業者は、カバー３の一対のカバー側板３０４の間に取付部材２を挿入する。さらに、作業者は、カバー３の一対のカバー側板３０４に設けられている複数のねじ挿通孔にそれぞれ段付きねじ３２を挿通し、これらの段付きねじ３２を取付部材２の一対の側板２１に設けられている複数のねじ孔にそれぞれねじ込む（図３参照）。以上のような手順で光源ユニットＷ１が組み立てられる。
【００３３】
また、図４に示すように、第１実施形態では、カバー３は、底板２０と対向する部分に、底板２０と線接触する突部３６を有する。突部３６は、左右方向を長手方向とする突条であり、前後方向に二列並んでいる。
【００３４】
突部３６が設けられることにより、カバー３と取付部材２の底板２０との接触部が面接触ではなく線接触となり、カバー３と取付部材２との接触面積を低減する。
【００３５】
次に、照明器具Ｘ１の施工手順を説明する。まず、施工作業を行う作業者は、天井裏の躯体に設けられている複数の吊りボルトを器具本体６の複数の長孔６０３にそれぞれ挿通し、これら複数の吊りボルトにナットをねじ込むことで器具本体６を吊りボルトに固定する。続いて、作業者は、天板６００の丸孔６０２から引き込んだ電源線を端子台６３に電気的に接続する。それから、作業者は、取付部材２に設けられた一対の引掛金具２４を器具本体６の引掛孔６４に引っ掛けた後、端子台６３から引き出されている３本の電線の先端に設けられているプラグコネクタを電源ユニット５のレセプタクルコネクタ５１に接続する。それから、作業者は、取付部材２に設けられている一対の引掛ばね２５の先端を、器具本体６に設けられているばね受け金具に引っ掛けた後、一対の引掛金具２４を支点に光源ユニットＷ１を回転させる。すると、引掛ばね２５がばね受け金具に引っ掛かったままで元の状態に戻ることにより、引掛ばね２５のばね力で光源ユニットＷ１が器具本体６に保持される（図１参照）。以上のような手順で照明器具Ｘ１が天井に施工される。
【００３６】
ここで、従来技術で説明した異音の発生メカニズムについて、簡単に説明する。この異音は、金属製の取付部材２と合成樹脂製のカバー３との熱膨張係数の違いに起因して発生すると考えられる。つまり、周囲の気温が変化したり、あるいは、電源投入後に電源ユニット５が高温となることにより、取付部材２及びカバー３の温度が変化する。このとき、取付部材２とカバー３との接触面において、熱膨張係数が相対的に大きい合成樹脂製のカバー３（カバー本体３０）の膨張及び収縮する力が最大静止摩擦力を超えると、カバー本体３０に生じていた歪みが急激に開放される。カバー本体３０の歪みが急激に開放されてカバー本体３０が取付部材２に対して相対的に移動することにより、カバー本体３０における取付部材２との接触面で振動を伴う摩擦音が発生する。このような現象は、一般にスティックスリップ現象として知られている。そして、スティックスリップ現象による異音は、２つの部材（取付部材２とカバー本体３０）の接触面積が大きいほど、発生し易いと考えられる。
【００３７】
そこで、第１実施形態にあっては、図４に示すように、カバー側板３０４における突出向きの端部が、開放端部３３を構成する。開放端部３３は、曲がり部２２よりも突出向き側に位置せず、曲がり部２２を突出向きに露出させる。すなわち、カバー側板３０４は、曲がり部２２の突出向き側の部分と接触しない。
【００３８】
このように、カバー側板３０４における突出向きの端部が開放端部３３となることにより、曲がり部２２の突出向き側の部分と接触せず、特許文献１記載の従来例と比較して、カバー部材と取付部材の互いに接触している部位が減る。すなわち、特許文献１記載の従来例にあっては、第１実施形態のカバー側板３０４に相当する部分の端部が開放端部となっておらず、この端部が第１実施形態の曲がり部２２に相当する部分の突出向き側に位置する突起部となっていた。この突起部は、取付部材と接触して、異音を発生させるおそれがあった。
【００３９】
第１実施形態では、特許文献１記載の従来例と比較して、カバー３と取付部材２の互いに接触している部位が減るため、異音の発生が抑制される。
【００４０】
更に、第１実施形態では、カバー３は、底板２０と対向する部分に、底板２０と線接触する突部３６を有するため、カバー３と取付部材２の底板２０との接触部が面接触ではなく線接触となる。
【００４１】
特許文献１記載の従来例にあっては、カバーの取付部材の底板と対向する部分と、カバー側板の突起部と、の間に取付部材を挟む状態で、カバーと取付部材とが接触していた。このため、カバーと取付部材とが面接触となって強く接触し、異音が発生しやすくなっていた。
【００４２】
これに対し、第１実施形態では、カバー３の底板２０と対向する部分に突部３６を有するため、カバー３と取付部材２との接触面積を低減して、異音の発生を更に抑制することができる。
【００４３】
また、カバー側板３０４の端部が開放端部３３となることにより、特許文献１記載の従来例のように突起部が形成されているものと比較して、虫等がカバー側板３０４と側板２１との間に侵入しやすくなる。そこで、第１実施形態では、カバー本体３０の底板２０に対向する部分に、底板２０に向けて突出して底板２０に接触するひれ部３４を有する。ひれ部３４は、例えばエラストマーにより形成されるが、材質は特に限定されない。このようなひれ部３４が設けられることにより、虫等がカバー３と取付部材２との間に侵入するのが抑制される。
【００４４】
次に、第２実施形態の光源ユニットＷ１について、図７に基いて説明する。なお、第２実施形態の光源ユニットＷ１は、第１実施形態の光源ユニットＷ１と大部分において同じである。このため、第１実施形態と重複する説明については、説明を省略する。
【００４５】
第１実施形態においては、図４に示すように、カバー側板３０４の開放端部３３は、取付部材２の突出向きの端部（すなわち曲がり部２２の突出向きの端部）よりも、突出向き側に位置していた。
【００４６】
これに対し第２実施形態においては、取付部材２の突出向きの端部が、カバー側板３０４の開放端部３３よりも突出向き側に位置している。
【００４７】
第２実施形態においては、施工者が、取付部材２にカバー３を取り付けて、カバー３の前板部３００を上にした状態（図４に示す状態を上下反転した状態）で地面や床に載置した時に、樹脂よりなる開放端部３３が地面や床に載置されにくい。この場合、地面や床に載置されるのは、金属製の取付部材２の曲がり部２２となる。
【００４８】
これにより、施工者が取付部材２にカバー３を取り付けて地面や床に載置しても、開放端部３３が損傷しにくい。
【００４９】
次に、第３実施形態の光源ユニットＷ１について、図８に基いて説明する。なお、第３実施形態の光源ユニットＷ１は、第１実施形態の光源ユニットＷ１と大部分において同じである。このため、第１実施形態と重複する説明については、説明を省略する。
【００５０】
第１実施形態においては、図４に示すように、カバー側板３０４の取付部材２と対向する部分が、曲がり部２２と接触していた。
【００５１】
これに対し第２実施形態においては、カバー側板３０４の取付部材２と対向する部分が、曲がり部２２と接触しない寸法関係となる。カバー側板３０４の取付部材２と対向する部分と曲がり部２２との間に、隙間３５が形成される。
【００５２】
これにより、カバー部材と取付部材の互いに接触している部位が更に減り、異音の発生がより一層抑制される。
【００５３】
次に、参考例の光源ユニットＷ１について、図９に基いて説明する。なお、参考例の光源ユニットＷ１は、第１実施形態の光源ユニットＷ１と大部分において同じである。このため、第１実施形態と重複する説明については、説明を省略する。
【００５４】
本開示における、カバー側板３０４における突出向きの端部を開放端部３３として、異音の発生を抑制する技術は、図９に示すように、取付部材２が曲がり部２２を有しない場合にも、適用可能である。
【００５５】
上述のように、第１の態様の光源ユニットＷ１は、複数の固体光源（発光ダイオード１０を有するＬＥＤモジュール１）と、複数の固体光源を支持して照明器具Ｘ１の器具本体６に取り付けられる金属製の取付部材２と、取付部材２に取り付けられる合成樹脂製のカバー３と、を備える。取付部材２は、長手方向及び短手方向を有する底板２０と、底板２０の短手方向における両側の部分からそれぞれ、長手方向及び短手方向に交差する突出向きに突出して互いに対向する一対の側板２１と、を有する。一対の側板２１は、底板２０より突出向きに延びる側板本体２１０と、側板本体２１０の先端部において側板本体２１０の互いに対向する内面２１１と反対の外面２１２側に曲がる曲がり部２２を有する。カバー３は、カバー本体３０と、カバー側板３０４と、を有する。カバー本体３０は、底板２０の突出向きと反対の側において底板２０に対向して、複数の固体光源が発する光を透過させる。カバー側板３０４は、カバー本体３０の短手方向における両側の部分からそれぞれ突出向きに突出して側板２１の外面２１２に対向する。カバー側板３０４における突出向きの端部は、曲がり部２２よりも突出向き側に位置せず曲がり部２２を突出向きに露出させる開放端部３３を構成する。
【００５６】
第１の態様によれば、カバー本体３０と取付部材２との互いに接触する部位が減ることにより、カバー本体３０と取付部材２との熱膨張係数の違いに起因した異音の発生を抑制することができる。
【００５７】
第２の態様の光源ユニットＷ１は、第１の態様との組み合わせにより実現される。第２の態様では、カバー３は、底板２０と対向する部分に、底板２０と線接触する突部３６を有する。
【００５８】
第２の態様によれば、カバー３と取付部材２の底板２０との接触部が面接触ではなく線接触となり、カバー３と取付部材２との接触面積を低減させて、異音の発生を更に抑制することができる。
【００５９】
第３の態様の光源ユニットＷ１は、第１又は２の態様との組み合わせにより実現される。第３の態様では、カバー本体の底板２０に対向する部分に、底板２０に向けて突出して底板２０に接触するひれ部３４を有する。
【００６０】
第３の態様によれば、虫等がカバー３と取付部材２との間に侵入するのが抑制される。
【００６１】
第４の態様の光源ユニットＷ１は、第１〜３のいずれかの態様との組み合わせにより実現される。第４の態様では、取付部材２の突出向きの端部は、カバー側板３０４の開放端部３３よりも突出向き側に位置する。
【００６２】
第４の態様によれば、取付部材２にカバー３を取り付けた状態で、開放端部３３が地面や床に載置されにくいため、開放端部３３が損傷しにくい。
【００６３】
第５の態様の、照明器具Ｘ１は、第１〜４のいずれかの態様との組み合わせにより実現される。第５の態様では、照明器具Ｘ１は、光源ユニットＷ１と、光源ユニットＷ１を支持する器具本体６とを備える。
【００６４】
第５の態様によれば、照明器具Ｘ１が上述のように構成されれば、カバー本体３０と取付部材２との熱膨張係数の違いに起因した異音の発生を抑制することができる。
【符号の説明】
【００６５】
Ｘ１  照明器具
Ｗ１  光源ユニット
１    ＬＥＤモジュール（光源）
２    取付部材
２０  底板
２１  側板
２１０  側板本体
２１１  内面
２１２  外内面
２２  曲がり部
３    カバー
３０  カバー本体
３０４  カバー側板
３３  開放端部
３４  ひれ部
６    器具本体
【図１】
2019175555.tif 000003
【図２】
2019175555.tif 000004
【図３】
2019175555.tif 000005
【図４】
2019175555.tif 000006
【図５】
2019175555.tif 000007
【図６】
2019175555.tif 000008
【図７】
2019175555.tif 000009
【図８】
2019175555.tif 000010
【図９】
2019175555.tif 000011